(57)【要約】  本発明の実施例は、情報処理方法、上位層機能エンティティおよびコンピュータ記憶媒体を開示する。前記方法は、上位層機能エンティティが、第１のプリセット数のビーム回復失敗指示情報を受信し、前記第１のプリセット数のビーム回復失敗指示情報に基づいて第１のタイマを開始し、前記第１のプリセット数は、１つまたは少なくとも２つであることを含む。
2020537371.tif 000002
【特許請求の範囲】
【請求項１】
情報処理方法であって、
上位層機能エンティティが、第１のプリセット数のビーム回復失敗指示情報を受信することと、
前記第１のプリセット数のビーム回復失敗指示情報に基づいて第１のタイマを開始することであって、前記第１のプリセット数は、１つまたは少なくとも２つであることと、を含む、前記情報処理方法。
【請求項２】
前記方法は、
前記上位層機能エンティティが、前記第１のタイマのタイミング時間に達する前に指示情報を受信するかどうかに基づいて、無線リンク状態を判断することをさらに含み、
前記指示情報は、同期指示情報、ビーム回復成功指示情報、ビーム回復失敗指示情報、非同期指示情報のうちの少なくとも１つの情報を含む、
請求項１に記載の情報処理方法。
【請求項３】
前記上位層機能エンティティが、前記第１のタイマのタイミング時間に達する前に指示情報を受信するかどうかに基づいて、無線リンク状態を判断する前に、前記方法は、
前記上位層機能エンティティが、物理層機能エンティティからの非同期指示情報に基づいて第２のタイマを開始することであって、前記非同期指示情報は、端末とネットワークが同期できないことを表示するために使用されることと、
前記第１のタイマのタイミング時間が前記第２のタイマのタイミング時間より先に達するかどうかを判断することと、をさらに含む、
請求項２に記載の情報処理方法。
【請求項４】
前記上位層機能エンティティが、前記第１のタイマのタイミング時間に達する前に指示情報を受信するかどうかに基づいて無線リンク状態を判断することは、
前記第１のタイマのタイミング時間が前記第２のタイマのタイミング時間より先に達する前、または前記第１のタイマのタイミング時間と前記第２のタイマのタイミング時間の両方に達する前の場合、前記上位層機能エンティティが指示情報を受信するかどうかに基づいて無線リンク状態を判断することを含む、
請求項３に記載の情報処理方法。
【請求項５】
前記第１のタイマのタイミング時間は、未構成され、または０に構成され、または任意の数値に構成される、
請求項１または２に記載の情報処理方法。
【請求項６】
前記上位層機能エンティティが指示情報を受信するかどうかに基づいて無線リンク状態を判断することは、
前記上位層機能エンティティが第２のプリセット数の同期指示情報を未受信する場合、無線リンクの失敗と判断することであって、前記第２のプリセット数は、１つまたは少なくとも２つであることと、
前記上位層機能エンティティが前記第２のプリセット数の同期指示情報を受信する場合、無線リンクの非失敗と判断し、または物理層にビーム失敗回復プロセスを再開するように指示することと、を含む、
請求項４に記載の情報処理方法。
【請求項７】
前記上位層機能エンティティが指示情報を受信するかどうかに基づいて無線リンク状態を判断することは、
前記上位層機能エンティティが、第３のプリセット数のビーム回復成功指示情報を未受信する場合、無線リンクの失敗と判断することであって、前記第３のプリセット数は、１つまたは少なくとも２つであることと、
前記上位層機能エンティティが、前記第３のプリセット数のビーム回復成功指示情報を受信する場合、無線リンクの非失敗と判断することと、を含む、
請求項４に記載の情報処理方法。
【請求項８】
前記上位層機能エンティティが指示情報を受信するかどうかに基づいて無線リンク状態を判断することは、
前記上位層機能エンティティが、第４のプリセット数のビーム回復失敗指示情報を受信する場合、無線リンクの失敗と判断することであって、前記第４のプリセット数は、０、１つまたは少なくとも２つであることを含む、
請求項４に記載の情報処理方法。
【請求項９】
前記上位層機能エンティティが指示情報を受信するかどうかに基づいて無線リンク状態を判断することは、
前記上位層機能エンティティが、第５のプリセット数の非同期指示情報を受信する場合、無線リンクの失敗と判断することであって、プリセット数は、１つまたは少なくとも２つであることを含む、
請求項４に記載の情報処理方法。
【請求項１０】
前記方法は、前記第２のタイマのタイミング時間が前記第１のタイマのタイミング時間より先に達する前、または前記第１のタイマのタイミング時間と前記第２のタイマのタイミング時間の両方に達する前に、前記上位層機能エンティティが指示情報を受信するかどうかに基づいて無線リンク状態を判断することをさらに含む、
請求項３に記載の情報処理方法。
【請求項１１】
前記上位層機能エンティティが指示情報を受信するかどうかに基づいて無線リンク状態を判断することは、
前記上位層機能エンティティが、第６のプリセット数の同期指示情報を未受信する場合、無線リンクの失敗と判断することであって、前記第６のプリセット数は、１つまたは少なくとも２つであることと、
前記上位層機能エンティティが、前記第６のプリセット数の同期指示情報を受信する場合、無線リンクの非失敗と判断し、または物理層にビーム失敗回復プロセスを再開するように指示することと、を含む、
請求項１０に記載の情報処理方法。
【請求項１２】
前記上位層機能エンティティが指示情報を受信するかどうかに基づいて無線リンク状態を判断することは、
前記上位層機能エンティティが、第７のプリセット数のビーム回復成功指示情報を未受信する場合、無線リンクの失敗と判断することであって、前記第７のプリセット数は、１つまたは少なくとも２つであることを含む、
請求項１０に記載の情報処理方法。
【請求項１３】
前記上位層機能エンティティが指示情報を受信するかどうかに基づいて無線リンク状態を判断することは、
前記上位層機能エンティティが、第７のプリセット数のビーム回復成功指示情報を受信する場合、無線リンクの非失敗と判断することであって、前記第７のプリセット数は、１つまたは少なくとも２つであること、または、
前記上位層機能エンティティが前記第７のプリセット数のビーム回復成功指示情報を受信した後、前記第２のタイマのタイミング時間が前記第１のタイマのタイミング時間より先に達する前、または前記第１のタイマのタイミング時間と前記第２のタイマのタイミング時間の両方に達する前に、第８のプリセット数の同期指示情報を未受信する場合、無線リンクの失敗と判断し、前記第８のプリセット数の同期指示情報を受信する場合、無線リンクの非失敗と判断することであって、前記第８のプリセット数は、１つまたは少なくとも２つであることを含む、
請求項１０に記載の情報処理方法。
【請求項１４】
前記上位層機能エンティティが指示情報を受信するかどうかに基づいて無線リンク状態を判断することは、
前記上位層機能エンティティが、第９のプリセット数のビーム回復失敗指示情報を受信する場合、無線リンクの失敗と判断することを含む、
請求項１０に記載の情報処理方法。
【請求項１５】
前記第１のタイマを開始する前に、前記方法は、
前記上位層機能エンティティが、前記第１のタイマを構成すること、または、
前記上位層機能エンティティが、ネットワーク機器から前記第１のタイマを取得することであって、前記第１のタイマは、前記ネットワーク機器により構成されることをさらに含む、
請求項１に記載の情報処理方法。
【請求項１６】
前記上位層機能エンティティは、無線リソース制御（ＲＲＣ）機能エンティティ、パケットデータ収束プロトコル（ＰＤＣＰ）機能エンティティ、無線リンク層制御プロトコル（ＲＬＣ）機能エンティティまたは媒体アクセス制御（ＭＡＣ）機能エンティティを含む、
請求項１に記載の情報処理方法。
【請求項１７】
上位層機能エンティティであって、
第１のプリセット数のビーム回復失敗指示情報を受信するように構成される受信ユニットであって、前記第１のプリセット数は、１つまたは少なくとも２つである受信ユニットと、
前記受信ユニットによって受信される前記第１のプリセット数のビーム回復失敗指示情報に基づいて第１のタイマを開始するように構成される第１の開始ユニットと、を含む、前記上位層機能エンティティ。
【請求項１８】
前記上位層機能エンティティは、前記第１のタイマのタイミング時間に達する前に前記受信ユニットが指示情報を受信するかどうかに基づいて無線リンク状態を判断するように構成される判断ユニットをさらに含み、前記指示情報は、同期指示情報、ビーム回復成功指示情報、ビーム回復失敗指示情報、非同期指示情報のうちの少なくとも１つの情報を含む、
請求項１７に記載の上位層機能エンティティ。
【請求項１９】
前記上位層機能エンティティは、第２の開始ユニットをさらに含み、
前記受信ユニットは、さらに、物理層機能エンティティからの非同期指示情報を受信するように構成され、前記非同期指示情報は、端末とネットワークが同期できないことを表示するために使用され、
第２の開始ユニットは、前記受信ユニットによって受信される前記非同期指示情報に基づいて第２のタイマを開始するように構成され、
前記判断ユニットは、さらに、前記第１のタイマのタイミング時間が前記第２のタイマのタイミング時間より先に達するかどうかを判断するように構成される、
請求項１８に記載の上位層機能エンティティ。
【請求項２０】
前記判断ユニットは、さらに、前記第１のタイマのタイミング時間が前記第２のタイマのタイミング時間より先に達する前、または前記第１のタイマのタイミング時間と前記第２のタイマのタイミング時間の両方に達する前に、前記受信ユニットが指示情報を受信するかどうかに基づいて無線リンク状態を判断するように構成される、
請求項１９に記載の上位層機能エンティティ。
【請求項２１】
前記第１のタイマのタイミング時間は、未構成されるか、０として構成されるか、任意の数値に構成される、
請求項１７または１８に記載の上位層機能エンティティ。
【請求項２２】
前記判断ユニットは、前記受信ユニットが第２のプリセット数の同期指示情報を未受信する場合、無線リンクの失敗と判断するように構成され、前記第２のプリセット数は、１つまたは少なくとも２つであり、さらに、前記受信ユニットが前記第２のプリセット数の同期指示情報を受信する場合、無線リンクの非失敗と判断し、または物理層にビーム失敗回復プロセスを再開するように指示するように構成される、
請求項２０に記載の上位層機能エンティティ。
【請求項２３】
前記判断ユニットは、前記受信ユニットが第３のプリセット数のビーム回復成功指示情報を未受信する場合、無線リンクの失敗と判断するように構成され、前記第３のプリセット数は、１つまたは少なくとも２つであり、さらに、前記受信ユニットが前記第３のプリセット数のビーム回復成功指示情報を受信する場合、無線リンクの非失敗と判断するように構成される、
請求項２０に記載の上位層機能エンティティ。
【請求項２４】
前記判断ユニットは、前記受信ユニットが第４のプリセット数のビーム回復失敗指示情報を受信する場合、無線リンクの失敗と判断するように構成され、前記第４のプリセット数は、０、１つまたは少なくとも２つである、
請求項２０に記載の上位層機能エンティティ。
【請求項２５】
前記判断ユニットは、前記受信ユニットが第５のプリセット数の非同期指示情報を受信する場合、無線リンクの失敗と判断するように構成され、前記第５のプリセット数は、１つまたは少なくとも２つである、
請求項２０に記載の上位層機能エンティティ。
【請求項２６】
前記判断ユニットは、さらに、前記第２のタイマのタイミング時間が前記第１のタイマのタイミング時間より先に達する前、または前記第１のタイマのタイミング時間と前記第２のタイマのタイミング時間の両方に達する前に、前記受信ユニットが指示情報を受信するかどうかに基づいて無線リンク状態を判断するように構成される、
請求項２０に記載の上位層機能エンティティ。
【請求項２７】
前記判断ユニットは、前記受信ユニットが第６のプリセット数の同期指示情報を未受信する場合、無線リンクの失敗と判断するように構成され、前記第６のプリセット数は、１つまたは少なくとも２つであり、さらに、前記受信ユニットが前記第６のプリセット数の同期指示情報を受信する場合、無線リンクの非失敗と判断し、または物理層にビーム失敗回復プロセスを再開するように指示するように構成される、
請求項２６に記載の上位層機能エンティティ。
【請求項２８】
前記判断ユニットは、前記受信ユニットが第７のプリセット数のビーム回復成功指示情報を未受信する場合、無線リンクの失敗と判断するように構成され、前記第７のプリセット数は、１つまたは少なくとも２つである、
請求項２６に記載の上位層機能エンティティ。
【請求項２９】
前記判断ユニットは、前記受信ユニットが第７のプリセット数のビーム回復成功指示情報を受信する場合、無線リンクの非失敗と判断するように構成され、前記第７のプリセット数は、１つまたは少なくとも２つであり、または、
前記受信ユニットが前記第７のプリセット数のビーム回復成功指示情報を受信した後、前記第２のタイマのタイミング時間が前記第１のタイマのタイミング時間より先に達する前、または前記第１のタイマのタイミング時間と前記第２のタイマのタイミング時間の両方に達する前に、前記受信ユニットが第８のプリセット数の同期指示情報を未受信する場合、無線リンクの失敗と判断するように構成され、前記第８のプリセット数は、１つまたは少なくとも２つであり、前記受信ユニットが前記第８のプリセット数の同期指示情報を受信する場合、無線リンクの非失敗と判断するように構成される、
請求項２６に記載の上位層機能エンティティ。
【請求項３０】
前記判断ユニットは、前記受信ユニットが第９のプリセット数のビーム回復失敗指示情報を受信する場合、無線リンクの失敗と判断するように構成される、
請求項２６に記載の上位層機能エンティティ。
【請求項３１】
前記上位層機能エンティティは、前記第１の開始ユニットが第１のタイマを開始する前に、前記第１のタイマを構成するように構成される構成ユニットをさらに含み、または、
前記受信ユニットは、ネットワーク機器から前記第１のタイマを取得するように構成され、前記第１のタイマは、前記ネットワーク機器により構成される、
請求項１７に記載の上位層機能エンティティ。
【請求項３２】
前記上位層機能エンティティは、ＲＲＣ機能エンティティ、ＰＤＣＰ機能エンティティ、ＲＬＣ機能エンティティまたはＭＡＣ機能エンティティを含む、
請求項１７に記載の上位層機能エンティティ。
【請求項３３】
コンピュータ命令が記憶されるコンピュータ記憶媒体であって、
プロセッサによって前記命令が実行される場合、請求項１ないし１６のいずれか一項に記載の情報処理方法のステップが実現される、前記コンピュータ記憶媒体。
【請求項３４】
上位層機能エンティティであって、
データを伝送するために使用される通信コンポーネント、メモリ、プロセッサおよびメモリに記憶されてプロセッサで実行されるコンピュータプログラムが含まれ、前記プロセッサが前記プログラムを実行する場合、請求項１ないし１６のいずれか一項に記載の情報処理方法のステップが実現される、前記上位層機能エンティティ。
【発明の詳細な説明】
【技術分野】
【０００１】
本発明は、無線通信技術に関し、具体的に、情報処理方法、上位層機能エンティティおよびコンピュータ記憶媒体に関する。
【背景技術】
【０００２】
５Ｇシステムの議論につれて、ビームの概念が５Ｇシステムに導入され、ビーム回復およびビーム回復失敗のプロセスが物理層に具体的に導入された。ビーム回復失敗に基づいて無線リンク状態をどのように判断するかについて、従来技術では、現在有効な解決策がまだない。
【発明の概要】
【発明が解決しようとする課題】
【０００３】
既存に存在する技術的問題を解決するために、本発明の実施例は、情報処理方法、装置およびコンピュータ記憶媒体を提供する。
【課題を解決するための手段】
【０００４】
前述の目的を達成するために、本発明の実施例の技術的解決策は以下のように実現される。
【０００５】
本発明の実施例は情報処理方法を提供し、前記方法は、
上位層機能エンティティが、第１のプリセット数のビーム回復失敗指示情報を受信することと、前記第１のプリセット数のビーム回復失敗指示情報に基づいて、第１のタイマを開始することであって、前記第１のプリセット数は、１つまたは少なくとも２つであることと、を含む。
【０００６】
一実施例において、前記方法は、
前記上位層機能エンティティが、前記第１のタイマのタイミング時間に達する前に指示情報を受信するかどうかに基づいて、無線リンク状態を判断することをさらに含み、
前記指示情報は、同期（ＩＳ：Ｉｎ  Ｓｙｎｃ）指示情報、ビーム回復成功指示情報、ビーム回復失敗指示情報、非同期（ＯｏＳ：Ｏｕｔ  ｏｆ  Ｓｙｎｃ）指示情報のうちの少なくとも１つの情報を含む。
【０００７】
一実施例において、前記上位層機能エンティティが、前記第１のタイマのタイミング時間に達する前に指示情報を受信するかどうかに基づいて、無線リンク状態を判断する前に、前記方法は、
前記上位層機能エンティティが、物理層機能エンティティからの非同期指示情報に基づいて第２のタイマを開始することであって、前記非同期指示情報は、端末とネットワークが同期できないことを表示するために使用されることと、
前記第１のタイマのタイミング時間が前記第２のタイマのタイミング時間より先に達するかどうかを判断することと、をさらに含む。
【０００８】
一実施例において、前記上位層機能エンティティが、前記第１のタイマのタイミング時間に達する前に指示情報を受信するかどうかに基づいて無線リンク状態を判断することは、
前記第１のタイマのタイミング時間が前記第２のタイマのタイミング時間より先に達する前、または前記第１のタイマのタイミング時間と前記第２のタイマのタイミング時間の両方に達する前に、前記上位層機能エンティティが指示情報を受信するかどうかに基づいて無線リンク状態を判断することを含む。
【０００９】
一実施例において、前記第１のタイマのタイミング時間は、未構成されるか、０として構成されるか、任意の数値に構成される。
【００１０】
一実施例において、前記上位層機能エンティティが指示情報を受信するかどうかに基づいて無線リンク状態を判断することは、
前記上位層機能エンティティが第２のプリセット数の同期指示情報を未受信する場合、無線リンクの失敗と判断することであって、前記第２のプリセット数は、１つまたは少なくとも２つであることと、
前記上位層機能エンティティが前記第２のプリセット数の同期指示情報を受信する場合、無線リンクの非失敗と判断し、または物理層にビーム失敗回復プロセスを再開するように指示することと、を含む。
【００１１】
一実施例において、前記上位層機能エンティティが指示情報を受信するかどうかに基づいて無線リンク状態を判断することは、
前記上位層機能エンティティが、第３のプリセット数のビーム回復成功指示情報を未受信する場合、無線リンクの失敗と判断することであって、前記第３のプリセット数は、１つまたは少なくとも２つであることと、
前記上位層機能エンティティが、前記第３のプリセット数のビーム回復成功指示情報を受信する場合、無線リンクの非失敗と判断することと、を含む。
【００１２】
一実施例において、前記上位層機能エンティティが指示情報を受信するかどうかに基づいて無線リンク状態を判断することは、
前記上位層機能エンティティが、第４のプリセット数のビーム回復失敗指示情報を受信する場合、無線リンクの失敗と判断することであって、前記第４のプリセット数は、０、１つまたは少なくとも２つであることを含む。
【００１３】
一実施例において、前記上位層機能エンティティが指示情報を受信するかどうかに基づいて無線リンク状態を判断することは、
前記上位層機能エンティティが、第５のプリセット数の非同期指示情報を受信する場合、無線リンクの失敗と判断することであって、プリセット数は、１つまたは少なくとも２つであることを含む。
【００１４】
一実施例において、前記方法は、
前記上位層機能エンティティが、前記第２のタイマのタイミング時間が前記第１のタイマのタイミング時間より先に達する前、または前記第１のタイマのタイミング時間と前記第２のタイマのタイミング時間の両方に達する前に、第６のプリセット数の同期指示情報を未受信する場合、無線リンクの失敗と判断することであって、前記第６のプリセット数は、１つまたは少なくとも２つであることと、
前記上位層機能エンティティが、前記第２のタイマのタイミング時間が前記第１のタイマのタイミング時間より先に達する前、または前記第１のタイマのタイミング時間と前記第２のタイマのタイミング時間の両方に達する前に、前記第６のプリセット数の同期指示情報を受信する場合、無線リンクの非失敗と判断し、または物理層にビーム失敗回復プロセスを再開するように指示することと、をさらに含む。
【００１５】
一実施例において、前記方法は、
前記上位層機能エンティティが、前記第２のタイマのタイミング時間が前記第１のタイマのタイミング時間より先に達する前、または前記第１のタイマのタイミング時間と前記第２のタイマのタイミング時間の両方に達する前に、第７のプリセット数のビーム回復成功指示情報を未受信する場合、無線リンクの失敗と判断することであって、前記第７のプリセット数は、１つまたは少なくとも２つであることをさらに含む。
【００１６】
一実施例において、前記方法は、
前記上位層機能エンティティが、前記第２のタイマのタイミング時間が前記第１のタイマのタイミング時間より先に達する前、または前記第１のタイマのタイミング時間と前記第２のタイマのタイミング時間の両方に達する前に、第７のプリセット数のビーム回復成功指示情報を受信する場合、無線リンクの非失敗と判断することであって、前記第７のプリセット数は、１つまたは少なくとも２つであること、または、
前記上位層機能エンティティが前記第７のプリセット数のビーム回復成功指示情報を受信した後、前記第２のタイマのタイミング時間が前記第１のタイマのタイミング時間より先に達する前、または前記第１のタイマのタイミング時間と前記第２のタイマのタイミング時間の両方に達する前に、第８のプリセット数の同期指示情報を未受信する場合、無線リンクの失敗と判断し、前記第８のプリセット数の同期指示情報を受信する場合、無線リンクの非失敗と判断することであって、前記第８のプリセット数は、１つまたは少なくとも２つであることをさらに含む。
【００１７】
一実施例において、前記第１のタイマを開始する前に、前記方法は、
前記上位層機能エンティティが、前記第１のタイマを構成すること、または、
前記上位層機能エンティティが、ネットワーク機器から前記第１のタイマを取得することであって、前記第１のタイマは、前記ネットワーク機器により構成されることをさらに含む。
【００１８】
一実施例において、前記上位層機能エンティティは、無線リソース制御（ＲＲＣ：Ｒａｄｉｏ  Ｒｅｓｏｕｒｃｅ  Ｃｏｎｔｒｏ）機能エンティティ、パケットデータ収束プロトコル（ＰＤＣＰ：Ｐａｃｋｅｔ  Ｄａｔａ  Ｃｏｎｖｅｒｇｅｎｃｅ  Ｐｒｏｔｏｃｏｌ）機能エンティティ、無線リンク層制御プロトコル（ＲＬＣ：Ｒａｄｉｏ  Ｌｉｎｋ  Ｃｏｎｔｒｏｌ）機能エンティティまたは媒体アクセス制御（ＭＡＣ：Ｍｅｄｉａ  Ａｃｃｅｓｓ  Ｃｏｎｔｒｏｌ）機能エンティティを含む。
【００１９】
本発明の実施例は、上位層機能エンティティをさらに提供し、前記上位層機能エンティティは、受信ユニットと第１の開始ユニットを含み、
前記受信ユニットは、第１のプリセット数のビーム回復失敗指示情報を受信するように構成され、前記第１のプリセット数は、１つまたは少なくとも２つであり、
前記第１の開始ユニットは、前記受信ユニットによって受信される前記第１のプリセット数のビーム回復失敗指示情報に基づいて第１のタイマを開始するように構成される。
【００２０】
一実施例において、前記上位層機能エンティティは、前記第１のタイマのタイミング時間に達する前に前記受信ユニットが指示情報を受信するかどうかに基づいて無線リンク状態を判断するように構成される判断ユニットをさらに含み、前記指示情報は、同期指示情報、ビーム回復成功指示情報、ビーム回復失敗指示情報、非同期指示情報のうちの少なくとも１つの情報を含む。
【００２１】
一実施例において、前記上位層機能エンティティは、第２の開始ユニットをさらに含み、
前記受信ユニットは、さらに、物理層機能エンティティからの非同期指示情報を受信するように構成され、前記非同期指示情報は、端末とネットワークが同期できないことを表示するために使用され、
第２の開始ユニットは、前記受信ユニットによって受信される前記非同期指示情報に基づいて第２のタイマを開始するように構成され、
前記判断ユニットは、さらに、前記第１のタイマのタイミング時間が前記第２のタイマのタイミング時間より先に達するかどうかを判断するように構成される。
【００２２】
一実施例において、前記判断ユニットは、さらに、前記第１のタイマのタイミング時間が前記第２のタイマのタイミング時間より先に達する前、または前記第１のタイマのタイミング時間と前記第２のタイマのタイミング時間の両方に達する前に、前記受信ユニットが指示情報を受信するかどうかに基づいて無線リンク状態を判断するように構成される。
【００２３】
一実施例において、前記第１のタイマのタイミング時間は、未構成されるか、０として構成されるか、任意の数値に構成される。
【００２４】
一実施例において、前記判断ユニットは、前記受信ユニットが第２のプリセット数の同期指示情報を未受信する場合、無線リンクの失敗と判断するように構成され、前記第２のプリセット数は、１つまたは少なくとも２つであり、さらに、前記受信ユニットが前記第２のプリセット数の同期指示情報を受信する場合、無線リンクの非失敗と判断し、または物理層にビーム失敗回復プロセスを再開するように指示するように構成される。
【００２５】
一実施例において、前記判断ユニットは、前記受信ユニットが第３のプリセット数のビーム回復成功指示情報を未受信する場合、無線リンクの失敗と判断するように構成され、前記第３のプリセット数は、１つまたは少なくとも２つであり、さらに、前記受信ユニットが前記第３のプリセット数のビーム回復成功指示情報を受信する場合、無線リンクの非失敗と判断するように構成される。
【００２６】
一実施例において、前記判断ユニットは、前記受信ユニットが第４のプリセット数のビーム回復失敗指示情報を受信する場合、無線リンクの失敗と判断するように構成され、前記第４のプリセット数は、０、１つまたは少なくとも２つである。
【００２７】
一実施例において、前記判断ユニットは、前記受信ユニットが第５のプリセット数の非同期指示情報を受信する場合、無線リンクの失敗と判断するように構成され、プリセット数は、１つまたは少なくとも２つである。
【００２８】
一実施例において、前記判断ユニットは、前記第２のタイマのタイミング時間が前記第１のタイマのタイミング時間より先に達する前、または前記第１のタイマのタイミング時間と前記第２のタイマのタイミング時間の両方に達する前に、前記受信ユニットが第６のプリセット数の同期指示情報を未受信する場合、無線リンクの失敗と判断するように構成され、前記第６のプリセット数は、１つまたは少なくとも２つであり、さらに、前記第２のタイマのタイミング時間が前記第１のタイマのタイミング時間より先に達する前、または前記第１のタイマのタイミング時間と前記第２のタイマのタイミング時間の両方に達する前に、前記受信ユニットが前記第６のプリセット数の同期指示情報を受信する場合、無線リンクの非失敗と判断し、または物理層にビーム失敗回復プロセスを再開するように指示するように構成される。
【００２９】
一実施例において、前記判断ユニットは、前記第２のタイマのタイミング時間が前記第１のタイマのタイミング時間より先に達する前、または前記第１のタイマのタイミング時間と前記第２のタイマのタイミング時間の両方に達する前に、前記受信ユニット第７のプリセット数のビーム回復成功指示情報を未受信する場合、無線リンクの失敗と判断するように構成され、前記第７のプリセット数は、１つまたは少なくとも２つである。
【００３０】
一実施例において、前記判断ユニットは、前記第２のタイマのタイミング時間が前記第１のタイマのタイミング時間より先に達する前、または前記第１のタイマのタイミング時間と前記第２のタイマのタイミング時間の両方に達する前に、前記受信ユニットが第７のプリセット数のビーム回復成功指示情報を受信する場合、無線リンクの非失敗と判断するように構成され、前記第７のプリセット数は、１つまたは少なくとも２つであること、または、
前記受信ユニットが前記第７のプリセット数のビーム回復成功指示情報を受信した後、前記第２のタイマのタイミング時間が前記第１のタイマのタイミング時間より先に達する前、または前記第１のタイマのタイミング時間と前記第２のタイマのタイミング時間の両方に達する前に、前記受信ユニットが第８のプリセット数の同期指示情報を未受信する場合、無線リンクの失敗と判断するように構成され、前記第８のプリセット数は、１つまたは少なくとも２つであり、前記受信ユニットが前記第８のプリセット数の同期指示情報を受信する場合、無線リンクの非失敗と判断するように構成される。
【００３１】
一実施例において、前記上位層機能エンティティは、前記第１の開始ユニットが第１のタイマを開始する前に、前記第１のタイマを構成するように構成される構成ユニットをさらに含み、または、
前記受信ユニットは、ネットワーク機器から前記第１のタイマを取得するように構成され、前記第１のタイマは、前記ネットワーク機器により構成される。
【００３２】
一実施例において、前記上位層機能エンティティは、ＲＲＣ機能エンティティ、ＰＤＣＰ機能エンティティ、ＲＬＣ機能エンティティまたはＭＡＣ機能エンティティを含む。
【００３３】
本発明の実施例は、コンピュータ命令が記憶されるコンピュータ記憶媒体をさらに提供し、プロセッサによって当該命令が実行されると、本発明の実施例に記載の情報処理方法のステップが実現される。
【００３４】
本発明の実施例は、上位層機能エンティティをさらに提供し、前記上位層機能エンティティは、データの伝送用の通信コンポーネント、メモリ、プロセッサおよびメモリに記憶されてプロセッサで実行されるコンピュータプログラムが含まれ、前記プロセッサが前記プログラムを実行すると、本発明の実施例に記載の情報処理方法のステップが実現される。
【発明の効果】
【００３５】
本発明の実施例によって提供される情報処理方法、装置およびコンピュータ記憶媒体において、前記方法は、上位層機能エンティティが、第１のプリセット数のビーム回復失敗指示情報を受信することと、前記第１のプリセット数のビーム回復失敗指示情報に基づいて、第１のタイマを開始することであって、前記第１のプリセット数は、１つまたは少なくとも２つであることと、を含む。本発明の実施例の技術的解決策を使用して、上位層機能エンティティがビーム回復失敗指示情報を受信するときに第１のタイマを開始することにより、上位層機能エンティティが、第１のタイマのタイミング時間に達する前にシグナリングを受信するかどうかに基づいて無線リンク状態を判断する。
【図面の簡単な説明】
【００３６】
【図１】本発明の実施例１の情報処理方法の例示的なフローチャートである。
【図２ａ−２ｆ】それぞれ本発明の実施例１の情報処理方法の例示的な応用図である。
【図３】本発明の実施例２の情報処理方法の例示的なフローチャートである。
【図４ａ−４ｅ】それぞれ本発明の実施例２の情報処理方法の例示的な応用図である。
【図５】本発明の実施例３の情報処理方法の例示的なフローチャートである。
【図６ａ−６ｅ】それぞれ本発明の実施例３の情報処理方法の例示的な応用図である。
【図７】本発明の実施例の上位層機能エンティティの第１種別の構成構造の例示図である。
【図８】本発明の実施例の上位層機能エンティティの第２種別の構成構造の例示図である。
【図９】本発明の実施例の上位層機能エンティティの第３種別の構成構造の例示図である。
【図１０】本発明の実施例の上位層機能エンティティの第４種別の構成構造の例示図である。
【図１１】本発明の実施例の上位層機能エンティティのハードウェア構成の例示図である。
【発明を実施するための形態】
【００３７】
以下、添付の図面および具体的な実施例を参照して、本発明をさらに詳細に説明する。
【００３８】
実施例１
本発明の実施例は情報処理方法を提供する。図１は、本発明の実施例１の情報処理方法の例示的なフローチャートであり、図１に示されるように、前記方法は、次のステップを含む。
【００３９】
ステップ１０１において、上位層機能エンティティは、第１のプリセット数のビーム回復失敗指示情報を受信し、前記第１のプリセット数は、１つまたは少なくとも２つである。
【００４０】
ステップ１０２において、前記上位層機能エンティティは、前記第１のプリセット数のビーム回復失敗指示情報に基づいて第１のタイマを開始する。
【００４１】
本実施例の情報処理方法は端末側に適用され、即ち、端末の上位層機能エンティティが本発明の実施例の情報処理ソリューションを実行する。ここで、前記上位層機能エンティティは、ＲＲＣ機能エンティティ、ＰＤＣＰ機能エンティティ、ＲＬＣ機能エンティティまたはＭＡＣ機能エンティティを含む。
【００４２】
本実施例において、上位層機能エンティティは、物理層機能エンティティによって送信される第１のプリセット数のビーム回復失敗指示情報を受信する。実際のアプリケーションでは、物理層機能エンティティがビーム回復プロセスの実行に失敗した後、ビーム回復失敗指示情報を上位層機能エンティティに送信する。
【００４３】
本実施例において、前記第１のプリセット数は、１つまたは少なくとも２つであり、即ち、１つのビーム回復失敗指示情報を受信する場合、第１のタイマを開始し、または受信されるビーム回復失敗指示情報の数が少なくとも２つに達する場合、第１のタイマを開始し、例えば、第１のプリセット数が３であれば、受信されるビーム回復失敗指示情報の数が３に達する場合に第１のタイマを開始する。ここで、前記第１のプリセット数は、前記上位層機能エンティティによって予めに構成し、またはネットワーク機器のシグナリング指示に基づいて決定することができる。
【００４４】
本実施例において、前記第１のタイマを開始する前に、前記方法は、前記上位層機能エンティティが、前記第１のタイマを構成すること、または、前記上位層機能エンティティが、ネットワーク機器から前記第１のタイマを取得することであって、前記第１のタイマは、前記ネットワーク機器により構成されることをさらに含む。前記第１のタイマは前記上位層機能エンティティにより構成されるか、ネットワーク機器により構成され、構成の完了後に上位層機能エンティティに送信されることとして理解することができる。
【００４５】
一実施形態として、前記方法は、前記上位層機能エンティティが、前記第１のタイマのタイミング時間に達する前に指示情報を受信するかどうかに基づいて、無線リンク状態を判断することであって、前記指示情報は同期（Ｉｎ  Ｓｙｎｃ）指示情報、ビーム回復成功指示情報、ビーム回復失敗指示情報、非同期指示情報のうちの少なくとも１つの情報であることをさらに含む。即ち、上位層機能エンティティは、第１のタイマのタイミング時間に達する前に指示情報を受信するかどうかに基づいて無線リンクの失敗または無線リンクの非失敗と判断する。
【００４６】
ここで、前記第１のタイマのタイミング時間は、未構成されるか、０として構成されるか、任意の数値に構成される。前記第１のタイマのタイミング時間が未構成されるか、０として構成される場合、上位層機能エンティティが第１のプリセット数のビーム回復失敗指示情報を受信する場合に、無線リンクの失敗と判断することができることを示す。具体的には、図２ａに示されたようである。前記第１のタイマのタイミング時間が、０以外の任意の値に構成された場合、前記第１のタイマのタイミング時間に達する前に指示情報を受信するかどうかに基づいて無線リンク状態を判断することができる。
【００４７】
第１種別の実施形態として、図２ｂに示されたように、上位層機能エンティティは、第１のタイマのタイミング時間に達する前に同期指示情報（またはビーム回復成功指示情報）を未受信するか、第２のプリセット数の同期指示情報（または第３のプリセット数のビーム回復成功指示情報）を未受信する場合、無線リンクの失敗と判断する（ＲＬＦ、Ｒａｄｉｏ  Ｌｉｎｋ  Ｆａｉｌｕｒｅ）ことができ、前記第２のプリセット数は、１つまたは少なくとも２つであり、前記第３のプリセット数は、１つまたは少なくとも２つである。図２ｃおよび図２ｄに示されたように、第１のタイマのタイミング時間に達する前に第２のプリセット数の同期指示情報（または第３のプリセット数のビーム回復成功指示情報）を受信する場合、第２のプリセット数（または第３のプリセット数）が３と想定すると、第１のタイマのタイミング時間に達する前に３つの同期指示情報（またはビーム回復成功指示情報）を受信するため、無線リンクの非失敗と判断することができる。
【００４８】
第２種別の実施形態として、上位層機能エンティティは第１のタイマのタイミング時間に達する前に第４のプリセット数のビーム回復失敗指示情報を受信する場合、無線リンクの失敗と判断し、前記第４のプリセット数は、０、１つまたは少なくとも２つであり、または、第１のタイマのタイミング時間に達する前に第５のプリセット数の非同期指示情報を受信する場合、無線リンクの失敗と判断し、プリセット数は、１つまたは少なくとも２つである。具体的に、図２ｅおよび図２ｆに示されたように、第４のプリセット数および第５のプリセット数がすべて３つの場合を例として、第１のタイマのタイミング時間に達する前に３つのビーム回復失敗指示情報を受信し、または３つの非同期指示情報を受信すると、無線リンクの失敗と判断することができる。ここで、前記第４のプリセット数が０である適用シナリオにおいては、上位層機能エンティティが第１のプリセット数のビーム回復失敗指示情報を受信する場合、無線リンクの失敗と判断するすることができることとして理解することができる。
【００４９】
本発明の実施例の技術的解決策を使用して、上位層機能エンティティがビーム回復失敗指示情報を受信するときに第１のタイマを開始することにより、上位層機能エンティティが、第１のタイマのタイミング時間に達する前にシグナリングを受信するかどうかに基づいて無線リンク状態を判断する。
【００５０】
実施例２
本発明の実施例は、情報処理方法を提供する。図３は、本発明の実施例２の情報処理方法の例示的なフローチャートであり、図３に示されたように、前記方法は、次のステップを含む。
【００５１】
ステップ２０１において、上位層機能エンティティは、第１のプリセット数のビーム回復失敗指示情報を受信し、前記第１のプリセット数は、１つまたは少なくとも２つである。
【００５２】
ステップ２０２において、前記上位層機能エンティティは、前記第１のプリセット数のビーム回復失敗指示情報に基づいて第１のタイマを開始する。
【００５３】
ステップ２０３において、前記上位層機能エンティティは、物理層機能エンティティからの非同期指示情報に基づいて第２のタイマを開始し、前記非同期指示情報は、端末とネットワークが同期できないことを示すために使用される。
【００５４】
ステップ２０４において、前記上位層機能エンティティは、前記第１のタイマのタイミング時間が前記第２のタイマのタイミング時間より先に達するかどうかを判断する。
【００５５】
ステップ２０５において、前記第１のタイマのタイミング時間が前記第２のタイマのタイミング時間より先に達する前、または前記第１のタイマのタイミング時間と前記第２のタイマのタイミング時間の両方に達する前に、前記上位層機能エンティティが指示情報を受信するかどうかに基づいて無線リンク状態を判断する。
【００５６】
本実施例の情報処理方法は端末側に適用され、即ち、端末の上位層機能エンティティが本発明の実施例の情報処理ソリューションを実行する。ここで、前記上位層機能エンティティは、ＲＲＣ機能エンティティ、ＰＤＣＰ機能エンティティ、ＲＬＣ機能エンティティまたはＭＡＣ機能エンティティを含む。
【００５７】
本実施例において、ステップ２０１ないしステップ２０２の具体的な説明は、前述した実施例のステップ１０１ないしステップ１０２の具体的な説明を参照することができ、スペースを節約するために、本明細書で再度説明しない。
【００５８】
本実施例において、前記第１のタイマのタイミング時間は、未構成されるか、０として構成されるか、任意の数値に構成される。前記第１のタイマのタイミング時間が未構成されるか、０として構成される場合、上位層機能エンティティが第１のプリセット数のビーム回復失敗指示情報を受信する場合、無線リンクの失敗と判断することができ、具体的に、図２ａに示されたようである。前記第１のタイマのタイミング時間が０以外の任意の数値に構成される場合、前記第１のタイマのタイミング時間に達する前に指示情報を受信するかどうかに基づいて無線リンク状態を判断することができる。
【００５９】
本実施例において、上位層機能エンティティは、物理層機能エンティティにより送信される非同期（Ｏｕｔ  ｏｆ  Ｓｙｎｃ）指示情報を受信し、前記非同期指示情報に基づいて第２のタイマを開始する。一実施形態として、上位層機能エンティティは、物理層機能エンティティにより送信される非同期指示情報を受信し、受信される非同期指示情報の数がプリセット数に達する前に、第２のタイマを開始し、前記プリセット数は、１つまたは少なくとも２つである。ここで、前記第２のタイマは、前記上位層機能エンティティにより構成されるか、前記上位層機能エンティティによりネットワーク機器から取得する。
【００６０】
本実施例は２つの適用シナリオに適用され、第１種別のシナリオは、第１のタイマのタイミング時間が前記第２のタイマのタイミング時間より先に達する場合、前記第１のタイマのタイミング時間に達する前の適用シナリオであり、第２種別のシナリオは、第１のタイマのタイミング時間と第２のタイマのタイミング時間のどちらが先に達するかに関係なく、後で達したタイマのタイミング時間に達する前のシナリオを取る。前述の２つのシナリオを満足する場合、上位層機能エンティティは、指示情報を受信するかどうかに基づいて無線リンク状態を判断し、前記指示情報は、同期指示情報、ビーム回復成功指示情報、ビーム回復失敗指示情報、非同期指示情報のうちの少なくとも１つの情報を含む。
【００６１】
前述の２つのシナリオに基づいて、第１種別の実施形態として、前記上位層機能エンティティが指示情報を受信するかどうかに基づいて無線リンク状態を判断することは、前記上位層機能エンティティが第２のプリセット数の同期指示情報を未受信する場合、無線リンクの失敗と判断することであって、前記第２のプリセット数は、１つまたは少なくとも２つであることと、前記上位層機能エンティティが前記第２のプリセット数の同期指示情報を受信する場合、無線リンクの非失敗と判断し、または物理層にビーム失敗回復プロセスを再開するように指示することと、を含む。
【００６２】
具体的には、図４ａおよび図４ｂに示されたように、第１のタイマのタイミング時間が第２のタイマのタイミング時間より先に達する場合を例として、上位層機能エンティティがビーム回復失敗指示情報を受信する場合に第１のタイマを開始すると、第１のタイマのタイミング時間に達する前に同期指示情報を未受信し、または第２のプリセット数の同期指示情報を未受信すれば、図４ａに示されたように、無線リンクの失敗と判断する（ＲＬＦ、Ｒａｄｉｏ  Ｌｉｎｋ  Ｆａｉｌｕｒｅ）ことができる。第１のタイマのタイミング時間に達する前に第２のプリセット数の同期指示情報を受信すれば、第２のプリセット数を３と想定すると、図４ｂに示されたように、第１のタイマのタイミング時間に達する前に３つの同期指示情報を受信し、無線リンクの非失敗と判断することができる。
【００６３】
第２種別の実施形態として、前記上位層機能エンティティが指示情報を受信するかどうかに基づいて無線リンク状態を判断することは、前記上位層機能エンティティが、第３のプリセット数のビーム回復成功指示情報を未受信する場合、無線リンクの失敗と判断することであって、前記第３のプリセット数は、１つまたは少なくとも２つであることと、前記上位層機能エンティティが、前記第３のプリセット数のビーム回復成功指示情報を受信する場合、無線リンクの非失敗と判断することと、を含む。
【００６４】
具体的には、図４ａおよび図４ｃに示されたように、第１のタイマのタイミング時間が第２のタイマのタイミング時間より先に達する場合を例として、上位層機能エンティティがビーム回復失敗指示情報を受信する場合に第１のタイマを開始すると、第１のタイマのタイミング時間に達する前にビーム回復成功指示情報を未受信し、または第３のプリセット数のビーム回復成功指示情報を未受信すれば、図４ａに示されたように、無線リンクの失敗と判断するすることができる。第１のタイマのタイミング時間に達する前に第３のプリセット数のビーム回復成功指示情報を受信すれば、第３のプリセット数を３と想定すると、図４ｃに示されたように、第１のタイマのタイミング時間に達する前に３つのビーム回復成功指示情報を受信し、無線リンクの非失敗と判断することができる。
【００６５】
第３種別の実施形態として、前記上位層機能エンティティが指示情報を受信するかどうかに基づいて無線リンク状態を判断することは、前記上位層機能エンティティが、第４のプリセット数のビーム回復失敗指示情報を受信する場合、無線リンクの失敗と判断することであって、前記第４のプリセット数は、０、１つまたは少なくとも２つであることを含む。
【００６６】
具体的に、図４ｄに示されたように、第１のタイマのタイミング時間が第２のタイマのタイミング時間より先に達する場合を例として、上位層機能エンティティがビーム回復失敗指示情報を受信する場合に第１のタイマを開始すると、第１のタイマのタイミング時間に達する前に第４のプリセット数のビーム回復失敗指示情報を受信する場合、第４のプリセット数を３と想定すると、第１のタイマのタイミング時間に達する前に３つのビーム回復失敗指示情報を受信し、無線リンクの失敗と判断することができる。
【００６７】
第４種別の実施形態として、前記上位層機能エンティティが指示情報を受信するかどうかに基づいて無線リンク状態を判断することは、前記上位層機能エンティティが、第５のプリセット数の非同期指示情報を受信する場合、無線リンクの失敗と判断することであって、プリセット数は、１つまたは少なくとも２つであることを含む。
【００６８】
具体的には、図４ｅに示されたように、第１のタイマのタイミング時間が第２のタイマのタイミング時間より先に達する場合を例として、上位層機能エンティティがビーム回復失敗指示情報を受信する場合に第１のタイマを開始すると、第１のタイマのタイミング時間に達する前に第５のプリセット数の非同期指示情報を受信すれば、第５のプリセット数を３と想定すると、第１のタイマのタイミング時間に達する前に３つの非同期指示情報を受信し、無線リンクの失敗と判断することができる。
【００６９】
本実施例において、前記第１のプリセット数、前記第２のプリセット数、前記第３のプリセット数、前記第４のプリセット数、前記第５のプリセット数の値は同じでも異なっても構わない。
【００７０】
本発明の実施例の技術的解決策を使用して、上位層機能エンティティがビーム回復失敗指示情報を受信するときに第１のタイマを開始することにより、上位層機能エンティティは、第１のタイマのタイミング時間に達する前に、または第１のタイマのタイミング時間と第２のタイマのタイミング時間の両方に達する前に、シグナリングを受信するかどうかに基づいて無線リンク状態を判断することができる。
【００７１】
実施例３
本発明の実施例は情報処理方法を提供する。図５は、本発明の実施例３の情報処理方法の例示的なフローチャートであり、図５に示されたように、前記方法は、次のステップを含む。
【００７２】
ステップ３０１において、上位層機能エンティティは、第１のプリセット数のビーム回復失敗指示情報を受信し、前記第１のプリセット数は、１つまたは少なくとも２つである。
【００７３】
ステップ３０２において、前記上位層機能エンティティは、前記第１のプリセット数のビーム回復失敗指示情報に基づいて第１のタイマを開始する。
【００７４】
ステップ３０３において、前記上位層機能エンティティは、物理層機能エンティティからの非同期指示情報に基づいて第２のタイマを開始し、前記非同期指示情報は、端末とネットワークが同期できないことを示すために使用される。
【００７５】
ステップ３０４において、前記上位層機能エンティティは、前記第１のタイマのタイミング時間が前記第２のタイマのタイミング時間より先に達するかどうかを判断する。
【００７６】
ステップ３０５において、前記第２のタイマのタイミング時間が前記第１のタイマのタイミング時間より先に達する前、または前記第１のタイマのタイミング時間と前記第２のタイマのタイミング時間の両方に達する前に、前記上位層機能エンティティが指示情報を受信するかどうかに基づいて無線リンク状態を判断する。
【００７７】
本実施例の情報処理方法は端末側に適用され、即ち、端末の上位層機能エンティティが本発明の実施例の情報処理ソリューションを実行する。ここで、前記上位層機能エンティティは、ＲＲＣ機能エンティティ、ＰＤＣＰ機能エンティティ、ＲＬＣ機能エンティティまたはＭＡＣ機能エンティティを含む。
【００７８】
本実施例において、ステップ３０１ないしステップ３０４の具体的な説明は、前述の実施例中のステップ２０１ないしステップ２０４の具体的な説明を参照することができ、スペースを節約するために、本明細書では再び説明しない。
【００７９】
本実施例は、２つの適用シナリオに適用し、第１種別のシナリオは、第２のタイマのタイミング時間が前記第１のタイマのタイミング時間より先に達する場合、前記第２のタイマのタイミング時間に達する前の適用シナリオであり、第２種別のシナリオは、第１のタイマのタイミング時間と第２のタイマのタイミング時間のどちらが先に達するかに関係なく後で達したタイマのタイミング時間に達する前のシナリオを取る。前述の２つのシナリオを満足する場合、上位層機能エンティティは、指示情報を受信するかどうかに基づいて無線リンク状態を判断し、前記指示情報は、同期指示情報、ビーム回復成功指示情報、ビーム回復失敗指示情報、非同期指示情報のうちの少なくとも１つの情報を含む。
【００８０】
前述の２つのシナリオに基づいて、第１種別の実施形態として、前記上位層機能エンティティが第６のプリセット数の同期指示情報を未受信する場合、無線リンクの失敗と判断し、前記第６のプリセット数は、１つまたは少なくとも２つであり、前記上位層機能エンティティが、前記第６のプリセット数の同期指示情報を受信する場合、無線リンクの非失敗と判断し、または物理層にビーム失敗回復プロセスを再開するように指示する。
【００８１】
第２のタイマのタイミング時間が第１のタイマのタイミング時間より先に達する場合を例として、具体的に、図６ａおよび図６ｂに示されたものを参照することができ、図６ａに示されたように、第２のタイマのタイミング時間に達する前に同期指示情報を未受信し、または第６のプリセット数の同期指示情報を未受信する場合、無線リンクの失敗と判断することができる。第２のタイマのタイミング時間に達する前に前記第６のプリセット数の同期指示情報を受信し、第６のプリセット数が３である場合を例とすると、図６ｂに示されたように、第２のタイマのタイミング時間に達する前に３つの同期指示情報を受信すれば、前記上位層機能エンティティ可無線リンクの非失敗と判断することができる。または、第２のタイマのタイミング時間に達する前に前記第６のプリセット数の同期指示情報を受信すれば、前記上位層機能エンティティは、物理層機能エンティティにビーム失敗回復プロセスを再開するように指示することができる。
【００８２】
第２種別の実施形態として、前記上位層機能エンティティが、第７のプリセット数のビーム回復成功指示情報を未受信する場合、無線リンクの失敗と判断し、前記第７のプリセット数は、１つまたは少なくとも２つである。
【００８３】
第２のタイマのタイミング時間が第１のタイマのタイミング時間より先に達する場合を例とすると、具体的に、図６ａに示されたものを参照することができ、第２のタイマのタイミング時間に達する前にビーム回復成功指示情報を未受信し、または第７のプリセット数のビーム回復成功指示情報を未受信する場合、無線リンクの失敗と判断することができる。
【００８４】
第３種別の実施形態として、前記上位層機能エンティティが、第７のプリセット数のビーム回復成功指示情報を受信する場合、無線リンクの非失敗と判断し、前記第７のプリセット数は、１つまたは少なくとも２つであり、または、前記上位層機能エンティティが前記第７のプリセット数のビーム回復成功指示情報を受信した後、前記第２のタイマのタイミング時間が前記第１のタイマのタイミング時間より先に達する前、または前記第１のタイマのタイミング時間と前記第２のタイマのタイミング時間の両方に達する前に、第８のプリセット数の同期指示情報を未受信する場合、無線リンクの失敗と判断し、前記第８のプリセット数は、１つまたは少なくとも２つであり、前記第８のプリセット数の同期指示情報を受信する場合、無線リンクの非失敗と判断する。
【００８５】
第２のタイマのタイミング時間が第１のタイマのタイミング時間より先に達する場合を例とすると、第１種別の実施形態として、図６ｃを例とする場合、第２のタイマのタイミング時間に達する前に前記第７のプリセット数のビーム回復成功指示情報を受信し、第７のプリセット数が３である場合を例とすると、第２のタイマのタイミング時間に達する前に３つのビーム回復成功指示情報を受信し、前記上位層機能エンティティ可無線リンクの非失敗と判断する。第２種別の実施形態として、前記第７のプリセット数のビーム回復成功指示情報を受信した後、前記第２のタイマのタイミング時間が前記第１のタイマのタイミング時間より先に達する前、または前記第１のタイマのタイミング時間と前記第２のタイマのタイミング時間の両方に達する前に、第８のプリセット数の同期指示情報を未受信する場合、無線リンクの失敗と判断し、本実施形態も図６ｃに示されたものを参照することができ、前記第８のプリセット数の同期指示情報を受信する場合、無線リンクの非失敗と判断し、本実施形態は図６ｄに示されたものを参照することができる。
【００８６】
第４種別の実施形態として、前記上位層機能エンティティが指示情報を受信するかどうかに基づいて無線リンク状態を判断することは、前記上位層機能エンティティが、第９のプリセット数のビーム回復失敗指示情報を受信する場合、無線リンクの失敗と判断することを含む。
【００８７】
第２のタイマのタイミング時間が第１のタイマのタイミング時間より先に達する場合を例として、具体的には、図６ｅに示されたものを参照することができ、第２のタイマのタイミング時間に達する前にビーム回復失敗指示情報を受信し、または第９のプリセット数のビーム回復失敗指示情報を受信する場合、無線リンクの失敗と判断することができる。
【００８８】
本実施例において、前記第１のプリセット数、前記第６のプリセット数、前記第７のプリセット数、前記第８のプリセット数、前記第９のプリセット数の値は同じでも異なっても構わない。
【００８９】
本発明の実施例の技術的解決策を使用して、上位層機能エンティティがビーム回復失敗指示情報を受信するときに第１のタイマを開始すし、非同期指示情報を受信する場合に第２のタイマを開始することにより、上位層機能エンティティは、第２のタイマのタイミング時間に達する前に、または第１のタイマのタイミング時間と第２のタイマのタイミング時間の両方に達する前に、シグナリングを受信するかどうかに基づいて無線リンク状態を判断することができる。
【００９０】
実施例４
本発明の実施例は、上位層機能エンティティをさらに提供する。図７は、本発明の実施例の上位層機能エンティティの第１種別の構成構造の例示図であり、図７に示されたように、前記上位層機能エンティティは、受信ユニット４１および第１の開始ユニット４２を含む。
【００９１】
前記受信ユニット４１は、第１のプリセット数のビーム回復失敗指示情報を受信するように構成され、前記第１のプリセット数は、１つまたは少なくとも２つである。
【００９２】
前記第１の開始ユニット４２は、前記受信ユニット４１によって受信される前記第１のプリセット数のビーム回復失敗指示情報に基づいて第１のタイマを開始するように構成される。
【００９３】
一実施形態として、図８は、本発明の実施例の上位層機能エンティティの第２種別の構成構造の例示図であり、図８に示されたように、前記上位層機能エンティティは、前記第１のタイマのタイミング時間に達する前に前記受信ユニット４１が指示情報を受信するかどうかに基づいて無線リンク状態を判断するように構成される判断ユニット４３をさらに含み、前記指示情報は、同期指示情報、ビーム回復成功指示情報、ビーム回復失敗指示情報、非同期指示情報のうちの少なくとも１つの情報を含む。
【００９４】
一実施形態として、図９は、本発明の実施例の上位層機能エンティティの第３種別の構成構造の例示図であり、図９に示されたように、前記上位層機能エンティティは、第２の開始ユニット４４をさらに含む。
【００９５】
前記受信ユニット４１は、さらに、物理層機能エンティティからの非同期指示情報を受信するように構成され、前記非同期指示情報は、端末とネットワークが同期できないことを表示するために使用される。
【００９６】
第２の開始ユニット４４は、前記受信ユニット４１によって受信される前記非同期指示情報に基づいて第２のタイマを開始するように構成される。
【００９７】
前記判断ユニット４３は、さらに、前記第１のタイマのタイミング時間が前記第２のタイマのタイミング時間より先に達するかどうかを判断するように構成される。
【００９８】
また、前記判断ユニット４３は、さらに、前記第１のタイマのタイミング時間が前記第２のタイマのタイミング時間より先に達する前、または前記第１のタイマのタイミング時間と前記第２のタイマのタイミング時間の両方に達する前に、前記受信ユニット４１が指示情報を受信するかどうかに基づいて無線リンク状態を判断するように構成される。
【００９９】
ここで、前記第１のタイマのタイミング時間は、未構成されるか、０として構成されるか、任意の数値に構成される。
【０１００】
第１種別の実施形態として、前記判断ユニット４３は、前記受信ユニット４１が第２のプリセット数の同期指示情報を未受信する場合、無線リンクの失敗と判断するように構成され、前記第２のプリセット数は、１つまたは少なくとも２つであり、さらに、前記受信ユニット４１が前記第２のプリセット数の同期指示情報を受信する場合、無線リンクの非失敗と判断し、または物理層にビーム失敗回復プロセスを再開するように指示するように構成される。
【０１０１】
第２種別の実施形態として、前記判断ユニット４３は、前記受信ユニット４１が第３のプリセット数のビーム回復成功指示情報を未受信する場合、無線リンクの失敗と判断するように構成され、前記第３のプリセット数は、１つまたは少なくとも２つであり、さらに、前記受信ユニット４１は、前記第３のプリセット数のビーム回復成功指示情報を受信する場合、無線リンクの非失敗と判断するように構成される。
【０１０２】
第３種別の実施形態として、前記判断ユニット４３は、前記受信ユニット４１が第４のプリセット数のビーム回復失敗指示情報を受信する場合、無線リンクの失敗と判断するように構成され、前記第４のプリセット数は、０、１つまたは少なくとも２つである。
【０１０３】
第４種別の実施形態として、前記判断ユニット４３は、前記受信ユニット４１が第５のプリセット数の非同期指示情報を受信する場合、無線リンクの失敗と判断するように構成され、プリセット数は、１つまたは少なくとも２つである。
【０１０４】
別の実施形態として、前記判断ユニット４３は、さらに、前記第２のタイマのタイミング時間が前記第１のタイマのタイミング時間より先に達する前、または前記第１のタイマのタイミング時間と前記第２のタイマのタイミング時間の両方に達する前に、前記受信ユニット４１が指示情報を受信するかどうかに基づいて無線リンク状態を判断するように構成される。
【０１０５】
第１種別の実施形態として、前記判断ユニット４３は、前記受信ユニット４１が第６のプリセット数の同期指示情報を未受信する場合、無線リンクの失敗と判断するように構成され、前記第６のプリセット数は、１つまたは少なくとも２つであり、さらに、前記受信ユニット４１が前記第６のプリセット数の同期指示情報を受信する場合、無線リンクの非失敗と判断し、または物理層にビーム失敗回復プロセスを再開するように指示するように構成される。
【０１０６】
第２種別の実施形態として、前記判断ユニット４３は、前記受信ユニット４１が第７のプリセット数のビーム回復成功指示情報を未受信する場合、無線リンクの失敗と判断するように構成され、前記第７のプリセット数は、１つまたは少なくとも２つである。
【０１０７】
第３種別の実施形態として、前記判断ユニット４３は、前記受信ユニット４１が第７のプリセット数のビーム回復成功指示情報を受信する場合、無線リンクの非失敗と判断するように構成され、前記第７のプリセット数は、１つまたは少なくとも２つであり、または、
前記受信ユニット４１が前記第７のプリセット数のビーム回復成功指示情報を受信した後、前記第２のタイマのタイミング時間が前記第１のタイマのタイミング時間より先に達する前、または前記第１のタイマのタイミング時間と前記第２のタイマのタイミング時間の両方に達する前に、前記受信ユニット４１が第８のプリセット数の同期指示情報を未受信する場合、無線リンクの失敗と判断し、前記第８のプリセット数は、１つまたは少なくとも２つであり、前記受信ユニット４１が前記第８のプリセット数の同期指示情報を受信する場合、無線リンクの非失敗と判断するように構成される。
【０１０８】
第４種別の実施形態として、前記判断ユニット４３は、前記受信ユニット４１が第９のプリセット数のビーム回復失敗指示情報を受信する場合、無線リンクの失敗と判断するように構成される。
【０１０９】
図１０は、本発明の実施例の上位層機能エンティティの第４種別の構成構造の例示図であり、図１０に示されたように、前記上位層機能エンティティは、前記第１の開始ユニット４２が第１のタイマを開始する之前に、前記第１のタイマを構成するように構成される構成ユニット４５をさらに含み、または、
前記受信ユニット４１は、ネットワーク機器から前記第１のタイマを取得するように構成され、前記第１のタイマは、前記ネットワーク機器により構成される。
【０１１０】
本発明の実施例において、前記上位層機能エンティティは、ＲＲＣ機能エンティティ、ＰＤＣＰ機能エンティティ、ＲＬＣ機能エンティティまたはＭＡＣ機能エンティティを含む。前記上位層管理エンティティ中の第１の開始ユニット４２、判断ユニット４３および第２の開始ユニット４４は、実際のアプリケーションでは中央処理装置（ＣＰＵ：Ｃｅｎｔｒａｌ  Ｐｒｏｃｅｓｓｉｎｇ  Ｕｎｉｔ）、デジタル信号プロセッサ（ＤＳＰ：Ｄｉｇｉｔａｌ  Ｓｉｇｎａｌ  Ｐｒｏｃｅｓｓｏｒ）、マイクロコントローラーユニット（ＭＣＵ：Ｍｉｃｒｏｃｏｎｔｒｏｌｌｅｒ  Ｕｎｉｔ）またはプログラマブルゲートアレイ（ＦＰＧＡ：Ｆｉｅｌｄ−Ｐｒｏｇｒａｍｍａｂｌｅ  Ｇａｔｅ  Ａｒｒａｙ）によって実現されてもよく、前記上位層管理エンティティ中の受信ユニット４１は、実際のアプリケーションでは通信モジュール（基本的な通信スイート、オペレーティングシステム、通信モジュール、標準化されたインターフェースおよびプロトコルなどを含む）および送受信アンテナによって実現されてもよく、前記上位層管理エンティティ中の構成ユニット４５は、実際のアプリケーションではＣＰＵ、ＤＳＰ、ＭＣＵまたはＦＰＧＡによって実現され、または通信モジュール（基本的な通信スイート、オペレーティングシステム、通信モジュール、標準化されたインターフェースおよびプロトコルなどを含む）および送受信アンテナによって実現されてもよい。
【０１１１】
留意されたいことは、上記の実施例によって提供される上位層機能エンティティは情報処理を行う場合、上記の各プログラムモジュールの分割のみを例として説明し、実際のアプリケーションでは、必要に応じて、異なるプログラムモジュールによって上記した処理の割り当てが完了され、つまり、上記の処理のすべてまたは一部を完了するために、上位層機能エンティティの内部構造は、異なるプログラムモジュールに分割される。なお、前述した実施例によって提供される上位層機能エンティティは、情報処理方法の実施例と同じ概念に属し、その具体的な実現プロセスは方法の実施例を参照し、本明細書で再度説明しない。
【０１１２】
実施例５
本発明の実施例は、上位層機能エンティティをさらに提供し、前記上位層機能エンティティは、ＲＲＣ機能エンティティ、ＰＤＣＰ機能エンティティ、ＲＬＣ機能エンティティまたはＭＡＣ機能エンティティを含む。図１１は、本発明の実施例の上位層機能エンティティのハードウェア構造の例示図であり、図１１に示されたように、上位層機能エンティティのハードウェア構造は、データを伝送するために使用される通信コンポーネント５３、少なくとも１つのプロセッサ５１およびプロセッサ５１上で実行可能なコンピュータプログラムを記憶するために使用されるメモリ５２を含む。端末内の各コンポーネントは、バスシステム５４を介してお互いに結合され、バスシステム５４はこれらのコンポーネント間の接続と通信を実現するために使用されることが理解することができる。バスシステム５４は、データバスに加えて、電力バス、制御バスおよびステータス信号バスを含む。しかしながら、明確に説明するために、様々なバスは、図１１ではバスシステム５４として表記する。
【０１１３】
メモリ５２は、揮発性メモリまたは不揮発性メモリであってもよく、揮発性メモと不揮発性メモリの両方を含んでもよいことを理解することができる。ここで、不揮発性メモリは読み取り専用メモリ（ＲＯＭ：Ｒｅａｄ  Ｏｎｌｙ  Ｍｅｍｏｒｙ）、プログラム可能な読み取り専用メモリ（ＰＲＯＭ：Ｐｒｏｇｒａｍｍａｂｌｅ  Ｒｅａｄ−Ｏｎｌｙ  Ｍｅｍｏｒｙ）、消去可能なプログラム可能な読み取り専用メモリ（ＥＰＲＯＭ：Ｅｒａｓａｂｌｅ  Ｐｒｏｇｒａｍｍａｂｌｅ  Ｒｅａｄ−Ｏｎｌｙ  Ｍｅｍｏｒｙ）、電気的消去可能なプログラム可能な読み取り専用メモリ（ＥＥＰＲＯＭ：Ｅｌｅｃｔｒｉｃａｌｌｙ  Ｅｒａｓａｂｌｅ  Ｐｒｏｇｒａｍｍａｂｌｅ  Ｒｅａｄ−Ｏｎｌｙ  Ｍｅｍｏｒｙ）、強磁性ランダムアクセスメモリ（ＦＲＡＭ：ｆｅｒｒｏｍａｇｎｅｔｉｃ  ｒａｎｄｏｍ  ａｃｃｅｓｓ  ｍｅｍｏｒｙ）、フレッシュメモリ（Ｆｌａｓｈ  Ｍｅｍｏｒｙ）、磁気表面メモリ、コンパクトディスク、または読み取り専用コンパクトディスク（ＣＤ−ＲＯＭ、Ｃｏｍｐａｃｔ  Ｄｉｓｃ  Ｒｅａｄ−Ｏｎｌｙ  Ｍｅｍｏｒｙ）であることができ、磁気表面メモリは、磁気ディスクメモリまたは磁気テープメモリであってもよい。揮発性メモリは、外部キャッシュとして使用されるランダムアクセスメモリ（ＲＡＭ：Ｒａｎｄｏｍ  Ａｃｃｅｓｓ  Ｍｅｍｏｒｙ）。限定的ではない例示的な説明によって、静的ランダムアクセスメモリ（ＳＲＡＭ：Ｓｔａｔｉｃ  Ｒａｎｄｏｍ  Ａｃｃｅｓｓ  Ｍｅｍｏｒｙ）、同期静的ランダムアクセスメモリ（ＳＳＲＡＭ：Ｓｙｎｃｈｒｏｎｏｕｓ  Ｓｔａｔｉｃ  Ｒａｎｄｏｍ  Ａｃｃｅｓｓ  Ｍｅｍｏｒｙ）、動的ランダムアクセスメモリ（ＤＲＡＭ：Ｄｙｎａｍｉｃ  Ｒａｎｄｏｍ  Ａｃｃｅｓｓ  Ｍｅｍｏｒｙ）、同期動的ランダムアクセスメモリ（ＳＤＲＡＭ：Ｓｙｎｃｈｒｏｎｏｕｓ  Ｄｙｎａｍｉｃ  Ｒａｎｄｏｍ  Ａｃｃｅｓｓ  Ｍｅｍｏｒｙ）、ダブルデータレート同期動的ランダムアクセスメモリ（ＤＤＲＳＤＲＡＭ：Ｄｏｕｂｌｅ  Ｄａｔａ  Ｒａｔｅ  Ｓｙｎｃｈｒｏｎｏｕｓ  Ｄｙｎａｍｉｃ  Ｒａｎｄｏｍ  Ａｃｃｅｓｓ  Ｍｅｍｏｒｙ）、強化された同期ダイナミック同期動的ランダムアクセスメモリ（ＥＳＤＲＡＭ：Ｅｎｈａｎｃｅｄ  Ｓｙｎｃｈｒｏｎｏｕｓ  Ｄｙｎａｍｉｃ  Ｒａｎｄｏｍ  Ａｃｃｅｓｓ  Ｍｅｍｏ
ｒｙ）、同期リンク動的ランダムアクセスメモリ（ＳＬＤＲＡＭ：ＳｙｎｃＬｉｎｋ  Ｄｙｎａｍｉｃ  Ｒａｎｄｏｍ  Ａｃｃｅｓｓ  Ｍｅｍｏｒｙ）、ダイレクトラムバスランダムアクセスメモリ（ＤＲＲＡＭ：Ｄｉｒｅｃｔ  Ｒａｍｂｕｓ  Ｒａｎｄｏｍ  Ａｃｃｅｓｓ  Ｍｅｍｏｒｙ）など、多くの形式のＲＡＭを使用することができる。本発明の実施例で説明されたメモリ５２は、これらおよび任意の他の適切なタイプのメモリを含むことが意図されているが、これらに限定されない。
【０１１４】
前述の本発明の実施例で開示された方法は、プロセッサ５１に適用されてもよく、またはプロセッサ５１によって実現されてもよい。プロセッサ５１は、信号処理能力を有する集積回路チップであってもよい。実現プロセスにおいて、前記方法の各ステップは、プロセッサ５１中のハードウェアの集積論理回路またはソフトウェアの形態の命令によって完了することができる。前述したプロセッサ５１は、汎用プロセッサ、ＤＳＰ、または他のプログラマブルロジックデバイス、ディスクリートゲートまたはトランジスタロジックデバイス、ディスクリートハードウェアデバイスなどであってもよい。プロセッサ５１は、本発明の実施例で開示される各方法、ステップおよび論理ブロック図を実現または実行することができる。汎用プロセッサは、マイクロプロセッサまたは任意の従来のプロセッサ等であってもよい。本発明の実施例と組み合わせて開示される方法のステップは、ハードウェア復号化プロセッサによって実行されて完了するように直接に具現されてもよく、または復号化プロセッサ内のハードウェアおよびソフトウェアモジュールの組み合わせによって実行されて完了してもよい。ソフトウェアモジュールは、メモリ５２内の記憶媒体に位置することができ、プロセッサ５１は、メモリ５２内の情報を読み取り、そのハードウェアと組み合わせて前述の方法のステップを完了する。
【０１１５】
例示的な実施例では、前述の方法を実行するために使用されるために、端末は、１つまたは複数の特定用途向け集積回路（ＡＳＩＣ：Ａｐｐｌｉｃａｔｉｏｎ  Ｓｐｅｃｉｆｉｃ  Ｉｎｔｅｇｒａｔｅｄ  Ｃｉｒｃｕｉｔ）、ＤＳＰ、プログラマブルロジックデバイス（ＰＬＤ：Ｐｒｏｇｒａｍｍａｂｌｅ  Ｌｏｇｉｃ  Ｄｅｖｉｃｅ）、コンプレックスプログラマブルロジックデバイス（ＣＰＬＤ：Ｃｏｍｐｌｅｘ  Ｐｒｏｇｒａｍｍａｂｌｅ  Ｌｏｇｉｃ  Ｄｅｖｉｃｅ）、ＦＰＧＡ、汎用プロセッサ、コントローラ、ＭＣＵ、マイクロプロセッサ（Ｍｉｃｒｏｐｒｏｃｅｓｓｏｒ）、または他の電子素子によって実現されることができる。
【０１１６】
本実施例において、前記プロセッサ５１が前記プログラムを実行すると、第１のプリセット数のビーム回復失敗指示情報を受信し、前記第１のプリセット数のビーム回復失敗指示情報に基づいて、第１のタイマを開始することであって、前記第１のプリセット数は、１つまたは少なくとも２つであることが実現される。
【０１１７】
一実施形態として、前記プロセッサ５１が前記プログラムを実行すると、前記第１のタイマのタイミング時間に達する前に指示情報を受信するかどうかに基づいて無線リンク状態を判断することであって、前記指示情報は、同期指示情報、ビーム回復成功指示情報、ビーム回復失敗指示情報、非同期指示情報のうちの少なくとも１つの情報を含むことが実現される。
【０１１８】
一実施形態として、前記プロセッサ５１が前記プログラムを実行すると、前記第１のタイマのタイミング時間に達する前に指示情報を受信するかどうかに基づいて無線リンク状態を判断する前、物理層機能エンティティからの非同期指示情報に基づいて第２のタイマを開始することであって、前記非同期指示情報は、端末とネットワークが同期できないことを表示するために使用されることと、前記第１のタイマのタイミング時間が前記第２のタイマのタイミング時間より先に達するかどうかを判断することと、が実現される。
【０１１９】
一実施形態として、前記プロセッサ５１が前記プログラムを実行すると、前記第１のタイマのタイミング時間が前記第２のタイマのタイミング時間より先に達する前、または前記第１のタイマのタイミング時間と前記第２のタイマのタイミング時間の両方に達する前に、前記第１のタイマのタイミング時間に達する前に指示情報を受信するかどうかに基づいて無線リンク状態を判断することが実現される。
【０１２０】
ここで、前記プロセッサ５１が前記プログラムを実行すると、前記第１のタイマのタイミング時間に達する前に、または前記第１のタイマのタイミング時間と前記第２のタイマのタイミング時間の両方に達する前に、第２のプリセット数の同期指示情報を未受信する場合、無線リンクの失敗と判断することであって、前記第２のプリセット数は、１つまたは少なくとも２つであることと、前記第１のタイマのタイミング時間に達する前に、または前記第１のタイマのタイミング時間と前記第２のタイマのタイミング時間の両方に達する前に、前記第２のプリセット数の同期指示情報を受信する場合、無線リンクの非失敗と判断し、または物理層にビーム失敗回復プロセスを再開するように指示することと、が実現される。
【０１２１】
ここで、前記プロセッサ５１が前記プログラムを実行すると、前記第１のタイマのタイミング時間に達する前に、または前記第１のタイマのタイミング時間と前記第２のタイマのタイミング時間の両方に達する前に、第３のプリセット数のビーム回復成功指示情報を未受信する場合、無線リンクの失敗と判断することであって、前記第３のプリセット数は、１つまたは少なくとも２つであることと、前記第１のタイマのタイミング時間に達する前に、または前記第１のタイマのタイミング時間と前記第２のタイマのタイミング時間の両方に達する前に、前記第３のプリセット数のビーム回復成功指示情報を受信する場合、無線リンクの非失敗と判断することと、が実現される。
【０１２２】
ここで、前記プロセッサ５１が前記プログラムを実行すると、前記第１のタイマのタイミング時間に達する前に、または前記第１のタイマのタイミング時間と前記第２のタイマのタイミング時間の両方に達する前に、第４のプリセット数のビーム回復失敗指示情報を受信する場合、無線リンクの失敗と判断することであって、前記第４のプリセット数は、０、１つまたは少なくとも２つであることが実現される。
【０１２３】
ここで、前記プロセッサ５１が前記プログラムを実行すると、前記第１のタイマのタイミング時間に達する前に、または前記第１のタイマのタイミング時間と前記第２のタイマのタイミング時間の両方に達する前に、第５のプリセット数の非同期指示情報を受信する場合、無線リンクの失敗と判断することであって、プリセット数は、１つまたは少なくとも２つであることが実現される。
【０１２４】
ここで、前記プロセッサ５１が前記プログラムを実行すると、前記第２のタイマのタイミング時間が前記第１のタイマのタイミング時間より先に達する前、または前記第１のタイマのタイミング時間と前記第２のタイマのタイミング時間の両方に達する前に、指示情報を受信するかどうかに基づいて無線リンク状態を判断することが実現される。
【０１２５】
ここで、前記プロセッサ５１が前記プログラムを実行すると、前記第２のタイマのタイミング時間が前記第１のタイマのタイミング時間より先に達する前、または前記第１のタイマのタイミング時間と前記第２のタイマのタイミング時間の両方に達する前に、第６のプリセット数の同期指示情報を未受信する場合、無線リンクの失敗と判断することであって、前記第６のプリセット数は、１つまたは少なくとも２つであることと、前記第２のタイマのタイミング時間が前記第１のタイマのタイミング時間より先に達する前に、または前記第１のタイマのタイミング時間と前記第２のタイマのタイミング時間の両方に達する前に、前記第６のプリセット数の同期指示情報を受信する場合、無線リンクの非失敗と判断し、または物理層にビーム失敗回復プロセスを再開するように指示することと、が実現される。
【０１２６】
ここで、前記プロセッサ５１が前記プログラムを実行すると、前記第２のタイマのタイミング時間が前記第１のタイマのタイミング時間より先に達する前、または前記第１のタイマのタイミング時間と前記第２のタイマのタイミング時間の両方に達する前に、第７のプリセット数のビーム回復成功指示情報を未受信する場合、無線リンクの失敗と判断することであって、前記第７のプリセット数は、１つまたは少なくとも２つであることが実現される。
【０１２７】
ここで、前記プロセッサ５１が前記プログラムを実行すると、前記第２のタイマのタイミング時間が前記第１のタイマのタイミング時間より先に達する前、または前記第１のタイマのタイミング時間と前記第２のタイマのタイミング時間の両方に達する前に、第７のプリセット数のビーム回復成功指示情報を受信する場合、無線リンクの非失敗と判断することであって、前記第７のプリセット数は、１つまたは少なくとも２つであること、または、前記第７のプリセット数のビーム回復成功指示情報を受信した後、前記第２のタイマのタイミング時間が前記第１のタイマのタイミング時間より先に達する前、または前記第１のタイマのタイミング時間と前記第２のタイマのタイミング時間の両方に達する前に、第８のプリセット数の同期指示情報を未受信する場合、無線リンクの失敗と判断することであって、前記第８のプリセット数は、１つまたは少なくとも２つであることと、前記第８のプリセット数の同期指示情報を受信する場合、無線リンクの非失敗と判断することと、が実現される。
【０１２８】
一実施形態として、前記プロセッサ５１が前記プログラムを実行すると、第１のタイマを開始する前に、前記第１のタイマを構成し、または、ネットワーク機器から前記第１のタイマを取得することであって、前記第１のタイマは、前記ネットワーク機器により構成されることが実現される。
【０１２９】
実施例６
本発明の実施例は、コンピュータ読み取り可能な記憶媒体をさらに提供し、例えば、図１１に示すメモリ５２はコンピュータプログラムを記憶し、前記コンピュータプログラムは、端末のプロセッサ５１によって実行されて、前述の方法に記載のステップを完了することができる。コンピュータ読み取り可能な記憶媒体は、ＦＲＡＭ、ＲＯＭ、ＰＲＯＭ、ＥＰＲＯＭ、ＥＥＰＲＯＭ、Ｆｌａｓｈ  Ｍｅｍｏｒｙ、磁気表面メモリ、コンパクトディスク、またはＣＤ−ＲＯＭ等のメモリであり得、携帯電話、コンピュータ、タブレット端末、携帯情報端末など、前記メモリのうちの１つまたは任意の組み合わせを含む様々なデバイスでもあり得る。
【０１３０】
本発明の実施例のコンピュータ読み取り可能な記憶媒体は、コンピュータプログラムを記憶し、当該コンピュータプログラムがプロセッサによって実行されると、第１のプリセット数のビーム回復失敗指示情報を受信する場合、前記第１のプリセット数のビーム回復失敗指示情報に基づいて、第１のタイマを開始することであって、前記第１のプリセット数は、１つまたは少なくとも２つであることが実現される。
【０１３１】
一実施形態として、当該コンピュータプログラムがプロセッサによって実行されると、さらに、前記第１のタイマのタイミング時間に達する前に指示情報を受信するかどうかに基づいて無線リンク状態を判断することであって、前記指示情報は、同期指示情報、ビーム回復成功指示情報、ビーム回復失敗指示情報、非同期指示情報のうちの少なくとも１つの情報を含むことが実行される。
【０１３２】
一実施形態として、当該コンピュータプログラムがプロセッサによって実行されると、さらに、前記第１のタイマのタイミング時間に達する前に指示情報を受信するかどうかに基づいて無線リンク状態を判断する前に、物理層機能エンティティからの非同期指示情報に基づいて第２のタイマを開始することであって、前記非同期指示情報は、端末とネットワークが同期できないことを表示するために使用されることと、前記第１のタイマのタイミング時間が前記第２のタイマのタイミング時間より先に達するかどうかを判断することと、が実現される。
【０１３３】
一実施形態として、当該コンピュータプログラムがプロセッサによって実行されると、前記第１のタイマのタイミング時間が前記第２のタイマのタイミング時間より先に達する前、または前記第１のタイマのタイミング時間と前記第２のタイマのタイミング時間の両方に達する前に、前記第１のタイマのタイミング時間に達する前に指示情報を受信するかどうかに基づいて無線リンク状態を判断することが実現される。
【０１３４】
ここで、当該コンピュータプログラムがプロセッサによって実行されると、前記第１のタイマのタイミング時間に達する前にまたは前記第１のタイマのタイミング時間と前記第２のタイマのタイミング時間の両方に達する前に、第２のプリセット数の同期指示情報を未受信する場合、無線リンクの失敗と判断することであって、前記第２のプリセット数は、１つまたは少なくとも２つであることと、前記第１のタイマのタイミング時間に達する前にまたは前記第１のタイマのタイミング時間と前記第２のタイマのタイミング時間の両方に達する前に、前記第２のプリセット数の同期指示情報を受信する場合、無線リンクの非失敗と判断し、または物理層にビーム失敗回復プロセスを再開するように指示することと、が実現される。
【０１３５】
ここで、当該コンピュータプログラムがプロセッサによって実行されると、前記第１のタイマのタイミング時間に達する前にまたは前記第１のタイマのタイミング時間と前記第２のタイマのタイミング時間の両方に達する前に、第３のプリセット数のビーム回復成功指示情報を未受信する場合、無線リンクの失敗と判断することであって、前記第３のプリセット数は、１つまたは少なくとも２つであることと、前記第１のタイマのタイミング時間に達する前にまたは前記第１のタイマのタイミング時間と前記第２のタイマのタイミング時間の両方に達する前に、前記第３のプリセット数のビーム回復成功指示情報を受信する場合、無線リンクの非失敗と判断することと、が実現される。
【０１３６】
ここで、当該コンピュータプログラムがプロセッサによって実行されると、前記第１のタイマのタイミング時間に達する前にまたは前記第１のタイマのタイミング時間と前記第２のタイマのタイミング時間の両方に達する前に、第４のプリセット数のビーム回復失敗指示情報を受信する場合、無線リンクの失敗と判断することであって、前記第４のプリセット数は、０、１つまたは少なくとも２つであることが実現される。
【０１３７】
ここで、当該コンピュータプログラムがプロセッサによって実行されると、前記第１のタイマのタイミング時間に達する前にまたは前記第１のタイマのタイミング時間と前記第２のタイマのタイミング時間の両方に達する前に、第５のプリセット数の非同期指示情報を受信する場合、無線リンクの失敗と判断することであって、プリセット数は、１つまたは少なくとも２つであることが実現される。
【０１３８】
ここで、当該コンピュータプログラムがプロセッサによって実行されると、前記第２のタイマのタイミング時間が前記第１のタイマのタイミング時間より先に達する前、または前記第１のタイマのタイミング時間と前記第２のタイマのタイミング時間の両方に達する前に、指示情報を受信するかどうかに基づいて無線リンク状態を判断することが実現される。
【０１３９】
ここで、当該コンピュータプログラムがプロセッサによって実行されると、前記第２のタイマのタイミング時間が前記第１のタイマのタイミング時間より先に達する前、または前記第１のタイマのタイミング時間と前記第２のタイマのタイミング時間の両方に達する前に、第６のプリセット数の同期指示情報を未受信する場合、無線リンクの失敗と判断することであって、前記第６のプリセット数は、１つまたは少なくとも２つであることと、前記第２のタイマのタイミング時間が前記第１のタイマのタイミング時間より先に達する前、または前記第１のタイマのタイミング時間と前記第２のタイマのタイミング時間の両方に達する前に、前記第６のプリセット数の同期指示情報を受信する場合、無線リンクの非失敗と判断し、または物理層にビーム失敗回復プロセスを再開するように指示することと、が実現される。
【０１４０】
ここで、当該コンピュータプログラムがプロセッサによって実行されると、前記第２のタイマのタイミング時間が前記第１のタイマのタイミング時間より先に達する前、または前記第１のタイマのタイミング時間と前記第２のタイマのタイミング時間の両方に達する前に、第７のプリセット数のビーム回復成功指示情報を未受信する場合、無線リンクの失敗と判断することであって、前記第７のプリセット数は、１つまたは少なくとも２つであることが実現される。
【０１４１】
ここで、当該コンピュータプログラムがプロセッサによって実行されると、前記第２のタイマのタイミング時間が前記第１のタイマのタイミング時間より先に達する前、または前記第１のタイマのタイミング時間と前記第２のタイマのタイミング時間の両方に達する前に、第７のプリセット数のビーム回復成功指示情報を受信する場合、無線リンクの非失敗と判断することであって、前記第７のプリセット数は、１つまたは少なくとも２つであること、または、前記第７のプリセット数のビーム回復成功指示情報を受信した後、前記第２のタイマのタイミング時間が前記第１のタイマのタイミング時間より先に達する前、または前記第１のタイマのタイミング時間と前記第２のタイマのタイミング時間の両方に達する前に、第８のプリセット数の同期指示情報を未受信する場合、無線リンクの失敗と判断することであって、前記第８のプリセット数は、１つまたは少なくとも２つであることと、前記第８のプリセット数の同期指示情報を受信する場合、無線リンクの非失敗と判断することと、が実現される。
【０１４２】
一実施形態として、当該コンピュータプログラムがプロセッサによって実行されると、さらに、第１のタイマを開始する前に、前記第１のタイマを構成し、または、ネットワーク機器から前記第１のタイマを取得することであって、前記第１のタイマは前記ネットワーク機器により構成されることが実現される。
【０１４３】
本出願によって提供されるいくつかの実施例では、開示された上位層機能エンティティおよび方法は、他の形態で実現され得ることを理解されたい。前述した上位層機能エンティティの実施例は、単なる例示的ものであり、例えば、前記ユニットの分割は論理機能分割に過ぎず、実際に実現する場合には、複数ユニットまたはコンポーネントを結合したり、別のシステムに統合したり、一部の特徴は無視したり、実行しないなど、別の分割方法がある。なお、表示されたまたは議論された各構成部分間の結合、または直接な結合、または通信接続は、一部のインターフェース、機器またはユニットを介した間接的な結合または通信接続であり得、電気的、機械的または他の形態であり得る。
【０１４４】
分離部品として説明される前記ユニットは、物理的に分離されている場合とされていない場合があり、ユニットとして表示される部品は、物理的なユニットである場合とそうでない場合があり、つまり、１ッか所に位置したり、複数のネットワークユニットに分散することもでき、実際の必要に応じて、それらの一部または全部のユニットを選択して本実施例の解決策の目的を達成することができる。
【０１４５】
さらに、本発明の各実施例における各機能ユニットは、１つの処理ユニットに統合されてもよく、各ユニットが個別に１つのユニットとして別々に使用されてもよく、２つまたは２つ以上のユニットが１つのユニットに統合されてもよく、前記統合されたユニットは、ハードウェアの形態で実現されてもよく、またはハードウェアにソフトウェア機能ユニットを加えた形態で実現されてもよい。
【０１４６】
当業者は、前記方法の実施例のステップのすべてまたは一部が、プログラム命令に関連するハードウェアによって完了され得、前述したプログラムは、コンピュータ読み取り可能な記憶媒体に記憶され得、当該プログラムが実行されると、前記方法の実施例を含むステップを実行するが、前述した記憶媒体は、モバイル記憶機器、ＲＯＭ、ＲＡＭ、磁気ディスクまたはコンパクトディスク等のプログラムコードを記憶することができる様々な媒体を含むことを理解することができる。
【０１４７】
または、本発明の前記統合されたユニットがソフトウェア機能モジュールの形態で実現され、独立した製品として販売または使用される場合、１つのコンピュータ読み取り可能な記憶媒体に記憶されることもできる。このような理解に基づいて、本発明の実施例の技術的解決策は、本質上または先行技術に貢献する部分に対しては、ソフトウェア製品の形態で具現されることができ、当該コンピュータソフトウェア製品は、１つの記憶媒体に記憶されて、一台のコンピュータ機器（パーソナルコンピュータ、サーバ、またはネットワーク機器等などであリ得る）が本発明の各実施例に記載の方法のすべてまたは一部を実行させるために、いくつかの命令を含む。上記した記憶媒体は、モバイル記憶機器、ＲＯＭ、ＲＡＭ、磁気ディスクまたはコンパクトディスク等のプログラムコードを記憶することができる様々なメディアを含む。
【０１４８】
上記は本発明の具体的な実施形態に過ぎないが、本発明の保護範囲はこれに限定されるものではなく、当業者は本発明が開示する技術的範囲内で変更または置換を容易に想到し得、本発明の保護範囲にすべて含まれるべきである。したがって、本発明の保護範囲は、特許請求の範囲の保護範囲に従うものとする。
【図１】
2020537371.tif 000003
【図２ａ】
2020537371.tif 000004
【図２ｂ】
2020537371.tif 000005
【図２ｃ】
2020537371.tif 000006
【図２ｄ】
2020537371.tif 000007
【図２ｅ】
2020537371.tif 000008
【図２ｆ】
2020537371.tif 000009
【図３】
2020537371.tif 000010
【図４ａ】
2020537371.tif 000011
【図４ｂ】
2020537371.tif 000012
【図４ｃ】
2020537371.tif 000013
【図４ｄ】
2020537371.tif 000014
【図４ｅ】
2020537371.tif 000015
【図５】
2020537371.tif 000016
【図６ａ】
2020537371.tif 000017
【図６ｂ】
2020537371.tif 000018
【図６ｃ】
2020537371.tif 000019
【図６ｄ】
2020537371.tif 000020
【図６ｅ】
2020537371.tif 000021
【図７】
2020537371.tif 000022
【図８】
2020537371.tif 000023
【図９】
2020537371.tif 000024
【図１０】
2020537371.tif 000025
【図１１】
2020537371.tif 000026
【手続補正書】
【提出日】令和2年8月12日(2020.8.12)
【手続補正１】
【補正対象書類名】特許請求の範囲
【補正対象項目名】全文
【補正方法】変更
【補正の内容】
【特許請求の範囲】
【請求項１】
情報処理方法であって、
上位層機能エンティティが、第１のプリセット数のビーム回復失敗指示情報を受信することと、
前記第１のプリセット数のビーム回復失敗指示情報に基づいて第１のタイマを開始することであって、前記第１のプリセット数は、１つまたは少なくとも２つであることと、を含む、前記情報処理方法。
【請求項２】
前記方法は、
前記上位層機能エンティティが、前記第１のタイマのタイミング時間に達する前に指示情報を受信するかどうかに基づいて、無線リンク状態を判断することをさらに含み、
前記指示情報は、同期指示情報、ビーム回復成功指示情報、ビーム回復失敗指示情報、非同期指示情報のうちの少なくとも１つの情報を含む、
請求項１に記載の情報処理方法。
【請求項３】
前記上位層機能エンティティが、前記第１のタイマのタイミング時間に達する前に指示情報を受信するかどうかに基づいて、無線リンク状態を判断する前に、前記方法は、
前記上位層機能エンティティが、物理層機能エンティティからの非同期指示情報に基づいて第２のタイマを開始することであって、前記非同期指示情報は、端末とネットワークが同期できないことを表示するために使用されることと、
前記第１のタイマのタイミング時間が前記第２のタイマのタイミング時間より先に達するかどうかを判断することと、をさらに含む、
請求項２に記載の情報処理方法。
【請求項４】
前記上位層機能エンティティが、前記第１のタイマのタイミング時間に達する前に指示情報を受信するかどうかに基づいて無線リンク状態を判断することは、
前記第１のタイマのタイミング時間が前記第２のタイマのタイミング時間より先に達する前、または前記第１のタイマのタイミング時間と前記第２のタイマのタイミング時間の両方に達する前の場合、前記上位層機能エンティティが指示情報を受信するかどうかに基づいて無線リンク状態を判断することを含む、
請求項３に記載の情報処理方法。
【請求項５】
前記上位層機能エンティティが指示情報を受信するかどうかに基づいて無線リンク状態を判断することは、
前記上位層機能エンティティが第２のプリセット数の同期指示情報を未受信する場合、無線リンクの失敗と判断することであって、前記第２のプリセット数は、１つまたは少なくとも２つであること、または
前記上位層機能エンティティが前記第２のプリセット数の同期指示情報を受信する場合、無線リンクの非失敗と判断し、または物理層にビーム失敗回復プロセスを再開するように指示すること、または
前記上位層機能エンティティが、第３のプリセット数のビーム回復成功指示情報を未受信する場合、無線リンクの失敗と判断することであって、前記第３のプリセット数は、１つまたは少なくとも２つであること、または
前記上位層機能エンティティが、前記第３のプリセット数のビーム回復成功指示情報を受信する場合、無線リンクの非失敗と判断すること、または
前記上位層機能エンティティが、第４のプリセット数のビーム回復失敗指示情報を受信する場合、無線リンクの失敗と判断することであって、前記第４のプリセット数は、０、１つまたは少なくとも２つであることを含むこと、または
前記上位層機能エンティティが、第５のプリセット数の非同期指示情報を受信する場合、無線リンクの失敗と判断することであって、プリセット数は、１つまたは少なくとも２つであることを含む、
請求項４に記載の情報処理方法。
【請求項６】
上位層機能エンティティであって、
第１のプリセット数のビーム回復失敗指示情報を受信するように構成される受信ユニットであって、前記第１のプリセット数は、１つまたは少なくとも２つである受信ユニットと、
前記受信ユニットによって受信される前記第１のプリセット数のビーム回復失敗指示情報に基づいて第１のタイマを開始するように構成される第１の開始ユニットと、を含む、前記上位層機能エンティティ。
【請求項７】
前記上位層機能エンティティは、前記第１のタイマのタイミング時間に達する前に前記受信ユニットが指示情報を受信するかどうかに基づいて無線リンク状態を判断するように構成される判断ユニットをさらに含み、前記指示情報は、同期指示情報、ビーム回復成功指示情報、ビーム回復失敗指示情報、非同期指示情報のうちの少なくとも１つの情報を含む、
請求項６に記載の上位層機能エンティティ。
【請求項８】
前記上位層機能エンティティは、第２の開始ユニットをさらに含み、
前記受信ユニットは、さらに、物理層機能エンティティからの非同期指示情報を受信するように構成され、前記非同期指示情報は、端末とネットワークが同期できないことを表示するために使用され、
第２の開始ユニットは、前記受信ユニットによって受信される前記非同期指示情報に基づいて第２のタイマを開始するように構成され、
前記判断ユニットは、さらに、前記第１のタイマのタイミング時間が前記第２のタイマのタイミング時間より先に達するかどうかを判断するように構成される、
請求項７に記載の上位層機能エンティティ。
【請求項９】
前記判断ユニットは、さらに、前記第１のタイマのタイミング時間が前記第２のタイマのタイミング時間より先に達する前、または前記第１のタイマのタイミング時間と前記第２のタイマのタイミング時間の両方に達する前に、前記受信ユニットが指示情報を受信するかどうかに基づいて無線リンク状態を判断するように構成される、
請求項８に記載の上位層機能エンティティ。
【請求項１０】
前記第１のタイマのタイミング時間は、未構成されるか、０として構成されるか、任意の数値に構成される、
請求項６または７に記載の上位層機能エンティティ。
【請求項１１】
前記判断ユニットは、前記受信ユニットが第２のプリセット数の同期指示情報を未受信する場合、無線リンクの失敗と判断するように構成され、前記第２のプリセット数は、１つまたは少なくとも２つであり、または
前記判断ユニットは、前記受信ユニットが前記第２のプリセット数の同期指示情報を受信する場合、無線リンクの非失敗と判断し、または物理層にビーム失敗回復プロセスを再開するように指示するように構成され、または
前記判断ユニットは、前記受信ユニットが第３のプリセット数のビーム回復成功指示情報を未受信する場合、無線リンクの失敗と判断するように構成され、前記第３のプリセット数は、１つまたは少なくとも２つであり、または
前記判断ユニットは、前記受信ユニットが前記第３のプリセット数のビーム回復成功指示情報を受信する場合、無線リンクの非失敗と判断するように構成され、または
前記判断ユニットは、前記受信ユニットが第４のプリセット数のビーム回復失敗指示情報を受信する場合、無線リンクの失敗と判断するように構成され、前記第４のプリセット数は、０、１つまたは少なくとも２つであり、または
前記判断ユニットは、前記受信ユニットが第５のプリセット数の非同期指示情報を受信する場合、無線リンクの失敗と判断するように構成され、前記第５のプリセット数は、１つまたは少なくとも２つである、
請求項９に記載の上位層機能エンティティ。
【請求項１２】
前記判断ユニットは、さらに、前記第２のタイマのタイミング時間が前記第１のタイマのタイミング時間より先に達する前、または前記第１のタイマのタイミング時間と前記第２のタイマのタイミング時間の両方に達する前に、前記受信ユニットが指示情報を受信するかどうかに基づいて無線リンク状態を判断するように構成される、
請求項９に記載の上位層機能エンティティ。
【請求項１３】
前記判断ユニットは、前記受信ユニットが第６のプリセット数の同期指示情報を未受信する場合、無線リンクの失敗と判断するように構成され、前記第６のプリセット数は、１つまたは少なくとも２つであり、または
前記判断ユニットは、前記受信ユニットが前記第６のプリセット数の同期指示情報を受信する場合、無線リンクの非失敗と判断し、または物理層にビーム失敗回復プロセスを再開するように指示するように構成され、または
前記判断ユニットは、前記受信ユニットが第７のプリセット数のビーム回復成功指示情報を未受信する場合、無線リンクの失敗と判断するように構成され、前記第７のプリセット数は、１つまたは少なくとも２つであり、または
前記判断ユニットは、前記受信ユニットが第７のプリセット数のビーム回復成功指示情報を受信する場合、無線リンクの非失敗と判断するように構成され、前記第７のプリセット数は、１つまたは少なくとも２つであり、または、
前記判断ユニットは、前記受信ユニットが前記第７のプリセット数のビーム回復成功指示情報を受信した後、前記第２のタイマのタイミング時間が前記第１のタイマのタイミング時間より先に達する前、または前記第１のタイマのタイミング時間と前記第２のタイマのタイミング時間の両方に達する前に、前記受信ユニットが第８のプリセット数の同期指示情報を未受信する場合、無線リンクの失敗と判断するように構成され、前記第８のプリセット数は、１つまたは少なくとも２つであり、または
前記判断ユニットは、前記受信ユニットが前記第８のプリセット数の同期指示情報を受信する場合、無線リンクの非失敗と判断するように構成され、または
前記判断ユニットは、前記受信ユニットが第９のプリセット数のビーム回復失敗指示情報を受信する場合、無線リンクの失敗と判断するように構成される、
請求項１２に記載の上位層機能エンティティ。
【請求項１４】
前記上位層機能エンティティは、前記第１の開始ユニットが第１のタイマを開始する前に、前記第１のタイマを構成するように構成される構成ユニットをさらに含み、または、
前記受信ユニットは、ネットワーク機器から前記第１のタイマを取得するように構成され、前記第１のタイマは、前記ネットワーク機器により構成される、
請求項６に記載の上位層機能エンティティ。
【請求項１５】
前記上位層機能エンティティは、ＲＲＣ機能エンティティ、ＰＤＣＰ機能エンティティ、ＲＬＣ機能エンティティまたはＭＡＣ機能エンティティを含む、
請求項６に記載の上位層機能エンティティ。
【国際調査報告】
2020537371.tif 000027
2020537371.tif 000028
2020537371.tif 000029
2020537371.tif 000030